Podtech/llm-jp-corpus-v4-ja_patent huggingface dataset:
(57)【要約】      （修正有）【課題】常習性便秘やそれに伴う痔疾患を予防するため、何時でも何処でも手軽に携帯して、何度でも使用できる浣腸器を提供する。【解決手段】始めにキャップ９に繋がるア−ム取り付け部１１を、水タンク７の雄ネジ５の奥まで入れておき、ノズル先端部に潤滑用クリ−ムを塗り、キャップをして２、３回まわすと全体に行き渡りスム−スに挿入する事が出来る。キャップを紛失させない為、ア−ム８で繋いで器具を一体化させ、キャップ自体も自由に回転でき、水タンクに水道水、又は、ぬるめの湯を入れて、ノズル部を水タンクに連結して、ノズルを肛門内に挿入し、水タンクを手で圧迫して注入する方法。水は殆ど無料であるし、一日２、３回使っても、何年もの使用に耐える。【選択図】図１
0003136473.tif 000002
【実用新案登録請求の範囲】
【請求項１】
弾性変形する水タンクと、ネジにより連結されるノズルから成る浣腸器で、蛇腹部の先の挿入部は先端部より基部に向かって、次第に太くなる構造である。
【請求項２】
キャップはア−ムで繋がり、本体に一体化された構造物。
【請求項３】
ノズル基部近くには、キャップ固定用のリング状突起を設けている。キャップ内側には固定用のリング状溝を設け、其々を固定出来る様になっている。
【請求項４】
水タンクの目盛り数値は、上から始まる様になっている物。
【考案の詳細な説明】
【技術分野】
【０００１】  便秘及び、痔疾患予防用の浣腸器。
【背景技術】
【０００２】
【非特許文献１】  特開平１１−２６７２０１
【非特許文献２】  特開２００２−２８２３４
【非特許文献３】  特開２００２−２７２８３８
【非特許文献４】  特開２００２−７８７９４
【考案の開示】
【考案が解決しようとする課題】
【０００３】  常習性便秘者は以外と多く、トイレに５分以上掛かる人は大体、便秘と云って良いと思う。暑い時や、寒い季節は特に辛いものであり、トイレで卒中を起こす事も有る。
又、便秘に伴う痔疾患も、便秘以上に苦痛で、耐えがたい物である。精神的にも憂鬱で、心もすっきりしないし、仕事や生活にも支障を来す事もよくある。【０００４】  市販されている、使い捨て式浣腸器は、常習便秘者にとって購入費用がかさむ上に薬店等で度々購入する際、恥ずかしい思いをしなければいけなかった。
【課題を解決する為の手段】
【０００５】  本考案は、常習性便秘やそれに伴なう痔疾患を予防する為、何時でも、何処でも手軽に携帯して、何度でも使用出来る物を低価格で提供する。
【考案の効果】
【０００６】  本考案は、常習性便秘に対し一度購入すれば、毎日何回使っても、何年もの使用に耐える上、水道水を利用する為、経費も不用である。
従来の浣腸器だと、度々購入するのは費用も掛かるし、恥ずかしい思いをするものであった。又、便秘に伴う痔疾患の予防にも役立つ物である。
【考案を実施する為の最良の形態】
【０００７】  水タンク本体と、肛門挿入用ノズル、ア−ムの先に付属するキャップで形成されている。まず、水タンクの雄ネジ部にア−ム取り付け部を奥まで入れておき、水タンクに水、又は、ぬるめの湯を入れて、挿入用ノズルをネジで連結した後、肛門に挿入して、手で圧縮して水を肛門内に注入する方式である。又、前もってノズル先端部近くに潤滑用クリ−ムを塗り、キャップを２、３回ぐるぐる回すと全体に潤滑用クリ−ムが行き渡り、挿入が容易になる。
【実施例】
【０００８】  腸内に溜まった便に、水を注入して暫らく時間を置きトイレに行くと、便の周囲が柔らかくなり、粘土に水を掛けた様な状態になり、よく滑り排泄を容易にする原理である。又、一日に何度でも使用できるし、トイレ時間も１分から３分で十分である。
【産業上の利用可能性】
【０００９】  常習便秘者は、潜在的に人口の半分程度は居ると思われます。又、旅行中や其の他の原因で一時的に便秘に成る人を含めると、殆どの人が経験する症状なのです。此れ等の人は、肉体的及び精神的苦痛を感じながら憂鬱な日々を送っています。又、痔疾患を伴う場合も多くあるので、此れらの予坊や改善にもなると思われる。【００１０】  便秘は、頭痛や頭重、及び肌アレの原因の一つにも成り、仕事や生活に支障を与える事も有ります。美容や健康上の問題の他、時間的や労働的損失等測り知れません。此れらの問題を改善する為の考案である。
【図面の簡単な説明】
【００１１】
【図１】  Ａ    Ｘ−Ｘ線ノズル部断面図。Ｂ    水タンク上部断面図。Ｃ    キャップ部平面図。Ｄ    ア−ム取り付け部平面図。Ｅ    Ｘ−Ｘ線ア−ム及びキャップ断面図。Ｆ    全体外見図。
【符号の説明】
【００１２】    １    注入口
２    ノズル挿入部
３    キャップ固定用リング状突起
４    蛇腹部
５    雌ネジ部
６    雄ネジ部
７    水タンク
８    ア−ム
９    キャップ
１０  キャップ外し用取っ手
１１  ア−ム取り付け部
１ａ  注入口用栓部
３ａ  キャップ固定用リング状溝
【図１】
0003136473.tif 000003
【手続補正書】
【提出日】平成19年7月18日(2007.7.18)
【手続補正１】
【補正対象書類名】実用新案登録請求の範囲
【補正対象項目名】全文
【補正方法】変更
【補正の内容】
【実用新案登録請求の範囲】
【請求項１】
弾性変形する水タンクにネジで連結されるノズルで構成する浣腸器は、ノズル蛇腹部先の肛門挿入部は、先端部が細く基部に向かって次第に太くなる構造である。
【請求項２】
浣腸器のノズル用キャップは、ア−ムに繋がりア−ム基部のア−ム取り付け部で浣腸器の水タンクのネジ部に取り付けられる構造の請求項１記載の浣腸器。
【請求項３】
浣腸器のノズル基部付近には、ノズル用キャップ固定用リング状突起を設け、ノズル用キャップ内側下部には固定用リング状溝を設けて、双方が固定できる様になっている構造の請求項１記載の浣腸器。
【請求項４】
浣腸器の水タンクの目盛り数値は、上から始まる方式の請求項１記載の浣腸器。
(57)【要約】【課題】  鼻当ての移動、言い換えればレンズ部分の移動が容易であり、かつ所定の位置を確保でき、遠視用及び近視用レンズ部分が適正な高さで使用できる遠近両用眼鏡を提供する。【解決手段】  本考案の遠近両用眼鏡は、遠視用レンズ部分と近視用レンズ部分とよりなる遠近両用のレンズを装備した遠近両用眼鏡であって、左右それぞれの鼻当て７を各々の支持棒６に接続し、それらの支持棒６を適当な位置に確保するための突起９を具備したスライダー４と接合している。さらに２本のスライダー４は、ばね３で一体化しており、スライダー４は眼鏡縁１に固定したスライダー溝５内を自由に摺動し、突起９とスライダー溝５に設けたくぼみ１０によって鼻当て７の位置、言い換えればレンズ８の位置を適切な高さに容易に設定する。【選択図】  図１
0003136439.tif 000002
【実用新案登録請求の範囲】
【請求項１】
左右の眼鏡縁１に固定したスライダー溝５にばね３と接合し突起を有するスライダー４をはめ込み、スライダー４の下部に支持棒６を接合し、さらに取り付け部材を介して鼻当て７と繋げた眼鏡において、スライダー４をスライダー溝５内を移動させてスライダー溝５のくぼみ１０にスライダーの突起９をはめ込み希望するレンズ部分が適正な高さで使用できるように高さ調整が可能な遠近両用眼鏡
【考案の詳細な説明】
【技術分野】
【０００１】
本考案は、遠近両用のレンズを使用する眼鏡にあって、鼻当てを容易に上下させることによって眼鏡縁を上下させて、遠視用・近視用のいずれのレンズ部分を使用する場合においても、使用するレンズ部分が確実に適正な高さになる遠近両用眼鏡に関する。
【背景技術】
【０００２】
遠近両用眼鏡においては、一般に景色の鑑賞などはもともと適正な高さにある遠視用レンズ部分を使用するために眼の疲れは少ないが、読書や書き物は近視用レンズ部分を通して下目使いで行われるために、近視用レンズ部分を使用する作業は疲れ易く、長時間の作業には向かない。
【０００３】
近年、遠近両用眼鏡を使用しながら、適正な高さで近視用レンズ部分を利用しようとする試みが見られ、例えば鼻当てを磁石によって上下に移動させることで、近視用レンズ部分も適正な高さで使用可能な方法が提案されている（特許文献１参照）。
【特許文献１】特開２００５−８４６６４
【考案の開示】
【考案が解決しようとする課題】
【０００４】
しかし,上述した特許文献１に提案された遠近両用眼鏡では、鼻当ての上下の位置を磁石で維持するために、その磁力が弱ければ鼻当ての下側での位置を確保することが難しく、逆に磁力が強すぎるならば鼻当ての移動は困難となり、また例え磁力の微調整が可能であっても支持棒とくぼみの間の摩擦抵抗等の日々変動する更なる要因を考慮すると、眼鏡を掛けたままでの鼻当ての移動すなわちレンズの移動は必ずしも容易ではなく、結局のところ眼鏡を外した上でレンズの位置を移動することになる。
【０００５】
本考案は、眼鏡を着用したままでレンズの位置を調整することには固執せずに、むしろ鼻当ての移動が容易であり、使用しようとするレンズ部分が所定の位置を確実に確保され、適正な高さで使用できる遠近両用眼鏡を提供することを目的としている。
【０００６】
本考案の上記ならびにその他の目的と新規な特徴は、以下の説明を添付図面と照らし合わせて読むと、より完全に明らかになる。
但し、図面は専ら解説のためのものであって、本考案の記述範囲を限定するものではない。
【課題を解決するための手段】
【０００７】
本考案の遠近両用眼鏡は、遠視用レンズ部分と近視用レンズ部分とよりなる遠近両用のレンズを装備した遠近両用眼鏡にあって、左右それぞれの鼻当てを各々の支持棒に接続し、それらの支持棒は適当な位置に固定するための突起を具備したスライダーと接合し、さらに２本のスライダーはばねで一体化しており、眼鏡縁に固定したスライダー溝内を自由に摺動可能であり、突起とスライダー溝に設けたくぼみによって鼻当ての位置、言い換えればレンズの位置を適切な高さに容易に設定し得るものである。
【考案の効果】
【０００８】
本考案の遠近両用眼鏡によれば、遠視用または近視用いずれのレンズ部分を使用する場合でも、支持棒を指で挟み付けながらスライダーをスライダー溝に沿って摺動させて、鼻当てと眼鏡縁の位置関係を変えることにより、使用したいレンズ部分を確実に適正な高さに設定できる。
【考案を実施するための最良の形態】
【０００９】
本考案の実施形態を図１、図２及び図３を用いて説明する。
【００１０】
図１は本考案の一実施例を示す要部斜視図、図２は図１に示すＡ−Ａ線断面図、図３は図２に示すＢ−Ｂ線断面図でありスライダーとスライダー溝及び突起とくぼみの関係を示したものである。
【００１１】
本考案の遠近両用眼鏡は、両眼の前面にはそれぞれ遠視用レンズ部分と近視用レンズ部分を有する遠近両用レンズ８を装備しており、左右の眼鏡縁１には少なくとも５個以上のくぼみ１０を等間隔に刻んだＵ字型のスライダー溝５を具備する。
【００１２】
スライダー４は少なくとも４個以上の突起９を等間隔に保持し、その間隔はくぼみ１０のそれと同値であり、一端にはスライダー４及び支持棒６より撓み易いばね３と接合し、他端には支持棒６を介して鼻当て７に接続する。
【００１３】
すなわち、遠視用レンズを利用する際には、指で支持棒を挟みながら、最上部の突起９を最上部のくぼみ１０に重ね合わせるように、スライダー４を両眼鏡縁１に具備したスライダー溝５にはめ込むことで、遠視用レンズを適正な高さで使用することが可能となる。
【００１４】
また、近視用レンズを使用する際には、上述と同様の操作で、最下部の突起９を最下部のくぼみ１０に重ね合わせるように、スライダー４を両眼鏡縁１に具備したスライダー溝５にはめ込むと、近視用レンズを適正な高さで使用することが可能となる。
【図面の簡単な説明】
【００１５】
【図１】本考案の一実施例を示す要部斜視図
【図２】図１のＡ−Ａ線断面図
【図３】図２のＢ−Ｂ線断面図
【符号の説明】
【００１６】
１    眼鏡縁
２    ブリッジ
３    ばね
４    スライダー
５    スライダー溝
６    支持棒
７    鼻当て
８    レンズ部分
９    突起
１０  くぼみ
【図１】
0003136439.tif 000003
【図２】
0003136439.tif 000004
【図３】
0003136439.tif 000005
(57)【要約】【課題】  従来にない発想のもとに、画期的な係止手段を採用し、新規かつ簡素な構造で着脱が簡単に行える衣服用ベルトのバックルを提供する。【解決手段】  バックル本体３の一端の軸２に回動可能となるようにベルトの基部１を止着する、他端側には係止板６を軸７にて回動可能に取り付け、係止板６にはベルトと接する面に突起を設けると共にバックル本体３に固着するための固定部材５を具備し、ベルトの締め止めをバックルの前面から操作を行えるようにして構造が簡素で取扱いも容易なものとする。【選択図】  図１
0003136440.tif 000002
【実用新案登録請求の範囲】
【請求項１】
バックル本体３の一端にベルト基部１を止着した回転可能な軸２と、他端に係止板６を一体化した可動可能な軸７を具備し、係止板６の他端にはベルト本体に固定するための部材５を配置し、係止板６のベルトに接する係止面に突起を設け、締め止めを容易かつ確実に行え得るようにベルトの前面から操作することを特徴とする衣服用ベルトのバックル
【考案の詳細な説明】
【技術分野】
【０００１】
本考案は、衣服用ベルトのバックルに関するものである。
【背景技術】
【０００２】
一般に、ベルトのバックルの締め止め方法としては、バックル本体に小棒状の差込ピンを設けベルトの先端部に適当な間隔で穿設した止め孔にピンを差し込んで固定する孔止め方法と、バックル本体に係止部材を具備してバックル本体と係止部材とでベルトの先端を挟み付けて固定する挟持方法に大別される(特許文献１参照)。
【特許文献１】特開２００２−３３９１３１
【考案の開示】
【考案が解決しようとする課題】
【０００３】
しかし、孔止め方法ではベルトに形成した止め孔に引張り力が集中するために止め孔が破損し易く、また締める度合いは止め孔の位置によって限定される。また従来の挟持方法では任意の位置にベルトを固定できる利点はあるが、係止力が不十分であるとか係止部材が十分に作用するとベルトの着脱の操作が容易ではない等の欠点があった。
【０００４】
本考案は上記の点に鑑みて、従来にはない画期的な係止方法を採用することでベルトの耐久性及びバックルの操作性を向上させた着用感の良いベルトのバックルを提供することである。
【０００５】
本考案の上記ならびにその他の目的と新規な特徴は、以下の説明を添付図面と照らし合わせて読むと、より完全に明らかになる。
但し、図面はもっぱら解説のためのものであって、本考案の記述範囲を限定するものではない。
【課題を解決するための手段】
【０００６】
上記の目的を達成するために、本考案の第一の手段は、バックル本体の一端に設けた軸にベルトの基部を止着し回動可能とすると共に、バックル本体の他端に軸を介して回動可能にしかつバックルに固定するための部材を保持した係止板を具備することである。
【０００７】
第二の手段は、バックルの本体と係止板とはベルトの先端部が挿通できる間隙を形成し、係止板のバックル本体に対する係止面にはベルトの係止を確実にするための突起を一面に設けることである。
【０００８】
第三の手段は、バックルの締め止めの操作をバックル前面で行うことである。
【考案の効果】
【０００９】
本考案は、以上に説明したように構成されており、係止面に突起を有する係止板を回動することで、接触面積に比例したより大きなトルクをバックル本体と係止板に与えることとなり、バックルの係止力が増して安定したベルトの係止と調整がより容易に行える。
【００１０】
また、ベルトの前面で操作するので、簡単にベルトを締めたり緩めたりでき、任意の位置に調整できるので着用感にも優れている。
【考案を実施するための最良の形態】
【００１１】
以下、図面を参照して、本考案の実施の形態を説明する。
【００１２】
本考案のベルトのバックルにおいては、バックル本体３の一端に軸２を設け、この軸にベルトの基部１を止着して回動を可能とし、ベルトの先端部４はバックル本体３と係止板６との間に形成された間隙に挿通して（図１参照）、使用に供せられる。
【００１３】
係止板６は、バックル本体３に具備された軸７と一体化しており、回動が可能となっている。
【００１４】
ベルトの使用者は、ズボンのベルト通しを介して腹部にベルトを周回させ、ベルトの先端部４をバックル本体３と係止板６との間に形成された間隙に挿通し、適宜ベルトの締め付けを行える。
【００１５】
ベルトの先端部４は、係止板６を前面からバックル本体に押し込み、係止板の固定部材をバックル本体に差し込むことで係止される。
【００１６】
ベルトの緩めは、係止板の固定部材をバックル本体から引き抜くことで係止板が開き、係止が簡単に解除されることで達成される。
【図面の簡単な説明】
【００１７】
【図１】本考案の一実施例を示す斜視図
【図２】図１のＡ−Ａ線断面図
【符号の説明】
【００１８】
１    ベルトの基部
２    軸
３    バックル本体
４    ベルトの先端部
５    固定部材
６    係止板
７    軸
【図１】
0003136440.tif 000003
【図２】
0003136440.tif 000004
(57)【要約】【課題】  うつ伏せ寝のときは、寝返りなど体を左右に変化させることが難しく、どうしても固定化された状態でうつ伏せ寝することになり、寝苦しい。また、うつ伏せ寝時は顔が下向きのため呼吸によって息が蒸れるなどで不快感が拭い去れなかった。【解決手段】  本考案は、うつ伏せ寝枕の形状を凸状にして、頭あて部は半楕円状にすることで、必然的に頭あて部に頬骨を乗せて寝ることになる。この構造により、自然に顔を左右に振り分けることが可能となって、体も動かしやすくなるので安眠できる。また、うつ伏せ寝時には呼吸を横に吐くことになるので、息による蒸れを防ぎ、不快感を防ぐことができる構造が特徴である。【選択図】図１
0003136464.tif 000002
【実用新案登録請求の範囲】
【請求項１】
胸あて部（３）と頭あて部（１）が凸状に一体化（２）された、うつ伏せ寝に用いる枕。
頭あて部を半楕円状（ａ）とすることにより自然に顔を左右に振り分けることが可能で（８）（９）、睡眠中などの左右体位変化を容易にする構造。
かつ、うつ伏せ時の呼吸による息の蒸れを防ぐ構造。
【考案の詳細な説明】
【技術分野】
【０００１】  本考案は、うつ伏せに寝るための枕構造である
【考案の従来の技術】
【０００２】  従来より提案されているうつ伏せ寝枕構造は各種各様のものがあるが胸あて部と頭あて部が凸状（図１）に一体化されたものや、うつ伏せ寝時の左右体位変化に対応して、呼吸を横に吐くことで、息による蒸れの不快感を防止するような枕構造のものは提案されていなかった。
【考案の開示】
【考案が解決しようとする課題】
【０００３】  本考案は、うつ伏せ寝のときの事象、つまり、うつ伏せ寝時に左右体位変化が容易にできないこと、および、うつ伏せ寝時の呼吸によって息が蒸れる不快感を解決するものである。
【課題を解決するための手段】
【０００４】  上述の課題を解決するために、本考案は、うつ伏せ寝枕の形状を凸状（図１）にして、頭あて部（１）は半楕円状（ａ）にする。
このことにより、必然的に頭あて部（１）に頬骨を乗せて寝る体位となる。
この構造により、顔を左（８）右（９）に振り分けることが容易になるので、体も動かしやすく、体位変化を助け安眠が可能となる。
また、うつ伏せ寝時には呼吸を横に吐くことになり、息による蒸れを防ぎ、不快感を防ぐことができる構造が特徴である。
【考案の効果】
【０００５】  上述のように本考案による枕構造であれば、うつ伏せ状態で寝たときにも、うつ伏せ寝時の左右体位変化を容易にして確実に安眠ができ、うつ伏せ寝時の呼吸による息の蒸れと不快感を防ぐことができるものである。
また、胸あて部（３）と頭あて部（１）を一体構造（２）とすることにより睡眠中も枕の形を崩さず、本考案の効果を維持できるものとした。
【考案を実施するための最良の形態】
【０００６】  本考案の、うつ伏せ寝枕を実施するにあたっては、使用者の体形、体格、癖などに合わせた寸法、柔らかさ、弾性を持たせるのが好ましい。【０００７】  本考案の、うつ伏せ寝枕の材質、内容物については、何等限定されるものではないが、ウレタンあるいは発砲スチロール、羽類、植物殻、プラスチック粒、綿で形成することが好ましいものである。【０００８】  また、使用者の体形、体格に応じて枕内容物入れ替口（６）より枕内容物を増量あるいは減量して枕形状を体形に合わせることが好ましいものである。
【実施例】
【０００９】  以下、実施例を図に基づいて説明する。
図３においてうつ伏せ寝枕の側面を示す。
胸あて部（３）は下辺から胸あて部の頂点（４）に向かって使用者の体形に合わせた上り勾配の斜面（５）として構成される。【００１０】  図１における頭あて部（１）の高さは、使用者の鼻および口をふさがない高さの半楕円構造（ａ）として構成される。【００１１】  図４の通り、うつ伏せに寝る際は胸あて部（３）に胸（７）を乗せ、頭あて部（１）に頭（１０）と頬を乗せて使用される。【００１２】  図５の通り、うつ伏せに寝る際は頭あて部（１）に頭を乗せ、体位変化により左（８）右（９）のように頭を振りながら使用される。
【図面の簡単な説明】
【００１３】
【図１】本考案によるうつ伏せ枕構造の立体図である。
【図２】本考案によるうつ伏せ枕構造の平面図である。
【図３】本考案によるうつ伏せ枕構造の側面図である。
【図４】本考案によるうつ伏せ枕構造の使用状態の側面図である。
【図５】本考案によるうつ伏せ枕構造の使用状態の前面図である。
【符号の説明】
【００１４】  １頭あて部
２頭あて部と胸あて部の一体化状態
３胸あて部
４胸あて部頂点
５胸あて部傾斜部
６胸あて部の内容物入れ替え開口部（チャック）
７人間の胸部と胸あて部の接触部
８人間の頭部・左向きの状態
９人間の頭部・右向きの状態
１０人間の頭部
【図１】
0003136464.tif 000003
【図２】
0003136464.tif 000004
【図３】
0003136464.tif 000005
【図４】
0003136464.tif 000006
【図５】
0003136464.tif 000007
【手続補正書】
【提出日】平成19年6月19日(2007.6.19)
【手続補正１】
【補正対象書類名】実用新案登録請求の範囲
【補正対象項目名】全文
【補正方法】変更
【補正の内容】
【実用新案登録請求の範囲】
【請求項１】
うつ伏せ寝に用いる枕において、胸あて部（３）と半楕円状の頭あて部（１）  を凸状に一体化した構造の、うつ伏せに寝るための枕。
(57)【要約】【課題】金属屋根材一文字葺非加硫ブチルゴム裏打材は、上下ハゼ２方向しかハゼ組みができなかった製品を四方向ハゼに組むことができるようにする。【解決手段】製品のジョイント部の非加硫ブチルゴム３と非加硫ブチルゴム３の間に融通のきく接着性のないテープ４又は金属板４を入れることとハゼ掛け部分に少し角度５をつけることによって組みやすくして解決した。【選択図】図３
0003136467.tif 000002
【実用新案登録請求の範囲】
【請求項１】
金属屋根材四方ハゼ一文字葺非加硫ブチルゴム裏打材における短辺のたて方向のハゼ掛けするのにあたり、ジョイント部分の非加硫ブチルゴムと非加硫ブチルゴムの間に接着性のないテープ又は金属板を取りつける。
【請求項２】
金属屋根材四方ハゼ一文字葺非加硫ブチルゴム裏打材における短辺のたて方向のハゼ掛けするのにあたり、粘着性があり下地にひっついてハゼ掛けが困難であるために、ハゼの掛かる部分のみ角度をつけて掛けやすくなるようにしている。
【考案の詳細な説明】
【技術分野】
【０００１】本考案は、一文字葺粘着工法において、非加硫ブチルゴムを裏打した屋根材の強度と漏水の欠点を補うために、たて・上下四方ハゼにして完全な製品にした。
【背景技術】
【０００２】従来は、一文字葺粘着工法において、非加硫ブチルゴムを裏打した屋根材は、上及び下の２方ハゼしかなかった。
【考案の開示】
【考案が解決しようとする課題】
【０００３】両面粘着性のある裏打材を使用するため、長手方向の上及び下の２辺のハゼ掛けは、可能ですが本製品の取付け時に接続部がひっついてしまうので、短辺のたてハゼまで掛けることが不可能でした。
従来は、たて方向の接続部はハゼを掛けずに重ね合わせて粘着しているだけのため、金属板の反発力等によってどうしても浮きができやすく、口が開くためにその部分から雨水の浸入が見られるという問題点があった。本考案は、この課題を解決するためになされたものである。
【課題を解決するための手段】
【０００４】金属屋根材のたて接続部分の非加硫ブチルゴムと非加硫ブチルゴムの間に粘着性のないテープ又は金属板をはさみ込み、かつハゼの掛かる部分に少し角度をつけることによって、四方向共ハゼを掛けることが可能になり、接続後は全面一体化される。
【考案の効果】
【０００５】粘着性のないテープ又は金属板をはさみ込むことによって、本体取付け時にスムーズに上部までハゼ掛けが容易になり、たて接続部分の浮きが解消されて雨水の浸入を防ぐことができるようになる。
【図面の簡単な説明】
【０００６】
【図１】本体を示した平面図である。
【図２】接続部の組合せ前を示した断面図である。
【図３】接続部の組合せ後を示した断面図である。
【図４】本体組合せ後を示した平面図及び断面図である。
【符号の説明】
【０００７】１本体表面
２本体表面
３非加硫ブチルゴム（両面粘着）
４無接着性テープ又は金属板
５腰折れ
【図１】
0003136467.tif 000003
【図２】
0003136467.tif 000004
【図３】
0003136467.tif 000005
【図４】
0003136467.tif 000006
【手続補正書】
【提出日】平成19年7月30日(2007.7.30)
【手続補正１】
【補正対象書類名】実用新案登録請求の範囲
【補正対象項目名】全文
【補正方法】変更
【補正の内容】
【実用新案登録請求の範囲】
【請求項１】
金属屋根材四方ハゼ一文字葺非加硫ブチルゴム裏打材における短辺のたて方向のハゼ掛けするのにあたり、ジョイント部分の非加硫ブチルゴムと非加硫ブチルゴムの開に接着性のないテープ又は金属板を取りつけることを特徴とする金属屋根材四方ハゼ一文字葺非加硫ブチルゴム裏打品。
【請求項２】
金属屋根材四方ハゼ一文字葺非加硫ブチルゴム裏打材における短辺のたて方向のハゼ掛けするのにあたり、粘着性があり下地にひっついてハゼ掛けが困難であるために、ハゼの掛かる部分のみ角度をつけて掛けやすくなるようにしていることを特徴とする金属屋根材四方ハゼ一文字葺非加硫ブチルゴム裏打品。
(57)【要約】      （修正有）【課題】毎月剥がすことの作業を通じてカレンダーの存在を認識し現在の月が分かり、剥がした前月の位置に何が表現されているかの楽しみも出る。また、製作会社の宣伝方法も幅が広くなる。【解決手段】１年１枚のカレンダーの月箇所を２重貼りにしておき、経過月毎に上紙を剥がす。現在の葉書が２重に貼ってあり、剥がすことで、上書き（月カレンダー）と剥がした分の内容は自由に選択できる。【選択図】図２
0003136466.tif 000002
【実用新案登録請求の範囲】
【請求項１】
１枚１年分のカレンダーの月（１２ヶ月）毎に２重貼りとして、
月が経過する度に上紙を剥がし、残月との違いを明確にする。
【考案の詳細な説明】
【技術分野】
【０００１】
本考案は従来の１枚１年のカレンダーの、１２月分を
２重に貼り、１ヶ月毎に、２重貼りの上紙を剥がす
ことにより経過月と残月が明瞭になること。」
【背景技術】
【０００２】
現状の１年めくりカレンダーは一目で全体を把握できるが
現在何月かが不明瞭である。
【０００３】
以前より、日めくり、月めくりのカレンダーはその都度経過分を
剥がすことにより認識を新たにできたが、１年カレンダーは
その剥がす行為が無く、１年間手を加えて、認識を新たに
することは無かった。
【０００４】
これらを解決して月毎の経過を認識し、また経過分、残月分が
１年分のなかで明瞭にする。
【０００５】
この改善策として、現在の１年カレンダーの月表示分を２重貼りとして、
月毎に剥がすことにより、経過分、残月分が明瞭になる。
【特許文献１】実用新案登録  第３０３２０７４号
【考案の開示】
【考案が解決しようとする課題】
【０００６】
解決しようとする問題点は、１年１枚のカレンダーにおいて、
１年のうちの経過分が一目で分かること。
【課題を解決するための手段】
【０００７】
本考案は、月毎に２重貼りとして上紙を剥がすことにより、
経過月と残月が明瞭になる。
【考案の効果】
【０００８】
本考案の２重貼りの上紙を月毎剥がすことにより、現在月が
明瞭になること。
剥がしたところに、多様の表現を施しておけること。
【考案を実施するための最良の形態】
【０００９】
１年１枚のカレンダーの１２月分を２重に貼り、剥がすことができ、
剥がした分に、数字、絵、文字を表現しておけること。
【図面の簡単な説明】
【００１０】
【図１】従来の１年１枚のカレンダー
【図２】１年１枚のカレンダーの月が経過した月が上紙を剥がし、残月が残って違いが明確になっている状況。
【図１】
0003136466.tif 000003
【図２】
0003136466.tif 000004
【手続補正書】
【提出日】平成19年7月4日(2007.7.4)
【手続補正１】
【補正対象書類名】実用新案登録請求の範囲
【補正対象項目名】全文
【補正方法】変更
【補正の内容】
【実用新案登録請求の範囲】
【請求項１】
１枚１年分のカレンダーの月（１２ヶ月）毎に２重貼りとして、月が経過する度に上紙を剥がし、残月との違いを明確にする経過月明瞭１年カレンダー。
(57)【要約】      （修正有）【課題】トングにおにぎりを造る部分をつけることによりダンゴ状のおにぎりが、簡単で衛生的に造ることができる。【解決手段】トング自体に半球状のスプーンを内側向きに合わせてつける。よって、（１）を手でにぎり（２）で食品を挟み込み手などを汚さず簡単にダンゴ状のおにぎりを造るのに役立つ。トングの握り部分は、握りやすく持ち運びに邪魔にならない長さ、かつ柔軟であり強度のある硬さで軽量である。【選択図】図１
0003136461.tif 000002
【実用新案登録請求の範囲】
【請求項１】
Ｕ字形の握り部分（１）の先端部分（２）が半球状に形成してあることを特徴とするトング。
【考案の詳細な説明】
【技術分野】
【０００１】本考案は簡単  かつ衛生的におにぎりを造ることができるトングに関する。
【背景技術】
【０００２】従来おにぎりを造るには手で握ったり、ラップなどを使用したり、型を使っていた。
【考案の開示】
【考案が解決しようとする課題】
【０００３】おにぎりを手やラップ等で握ったりするには、時間がかかり忙しい人や外出先では、大変な労力が必要である。手をかけず一度にかつ衛生的に造れるようにすることが望まれる。
【課題を解決するための手段】
【０００４】簡単におにぎりを作る方法は、ないかと考えたところ、スプーンの機能とトングを組み合わせてはどうかとひらめき本考案に至った。本考案はＵ字形の握り部分（１）の先端部分（２）が半球状に形成してあることを特徴とする。
【考案の効果】
【０００５】上述のように、本考案の簡単おにぎりトングは、トングに半球状のスプーンがついていることにより、直接手で握る労力を必要とせず、かつ衛生的である。
【考案を実施するための最良の形態】
【０００６】トングの握り部分は、握りやすく持ち運びに邪魔にならない長さ  かつ柔軟であり強度のある硬さで軽量にする。
トングの先は、子供が誤って口に入れても危険でない丸みを持たせ、半球状の形態スプーンをそれぞれ内側向きにつける。
また、使用時に食品が球状に纏まる強度も必要とする。
使用後のお手入れが簡単で、衛生的に保てる物にする。
【実施例】
【０００７】以下、添付図面に従って実施例を説明する。１、２は、強度に応じ組み立て式または、一体型とする。また、ポリプロピレン  プラスチック等  耐久、耐熱  衛生面に適した素材を使用する。
【図面の簡単な説明】
【０００８】
【図１】簡単おにぎりトングの平面図
【図２】簡単おにぎりトングの側面図
【符号の説明】
【０００９】１  握り手部分
２  先端部分
【図１】
0003136461.tif 000003
【図２】
0003136461.tif 000004
(57)【要約】      （修正有）【課題】食材をバラバラ状態にし平均に加熱、よくかき混ぜられるようにしたフライ返しを提供する。【解決手段】調理器具で炒め物や麺類をフライ返しのヘラ部の底面に複数の突起物を設ける。【選択図】図１
0003136463.tif 000002
【実用新案登録請求の範囲】
【請求項１】
フライ返しヘラ部の底面に複数の長柱状の突起物を設けたことを特徴とするフライ返し。
【請求項２】
炒めヘラ（請求項１）の突起物の形状は柱体、錐体。
【請求項３】
炒めヘラ（請求項１）の突起物の長さは５ｍｍ以上とし、最小外径と同じかよりも長い。
【請求項４】
炒めヘラ（請求項１）の突起物の間隔は突起物の直径と同じか、それ以上の間隔とする。
【請求項５】
炒めヘラ（請求項１）の突起物は柄部側から先まで同長さ或いは段々に短くする。
【考案の詳細な説明】
【技術分野】
【０００１】本実用新案は、調理器具で炒め物や麺類を簡単に取ることが併用できる炒めヘラ。
【背景技術】
【０００２】従来のフライ返しは柄部とヘラからなり、炒める、加熱するときヘラの繰り返しが多い。
【考案の開示】
【考案が解決しようとする課題】
【０００３】そのために、次のような問題点があった。
チャーハンつくる際に炊飯米、食材等が塊まって調味料とよく混ざらなく、疲れるくらい鍋を振っても平均に加熱できず焦げたり半生になり、普通の人はプロのようにパラパラにつくれない欠点がある。
【課題を解決するための手段】
【０００４】本実用新案は、調理器具で炒め物や麺類をフライ返しのヘラ部の底面に複数の突起物を設けることによって、食材をバラバラ状態にし平均に加熱、よくかき混ぜられるようにしたフライ返しである。
【考案の効果】
【０００５】フライ返しのヘラ部の底面に複数の突起物のある炒めヘラを使うと、軽い力で簡単にかたまらずに混ぜたり、平均に加熱し調味料も混ざりバラバラした美味しいチャーハンが出来る。またヘラ部の底面に複数の突起物を上に向けて使用すると麺類を鍋から簡単に掬い上げることが出来るので、麺類専用の調理具を収納する場所が空き買わずに済み経済的である。
【考案を実施するための最良の形態】
【０００６】以下、本実用新案の形態について説明する。
柄部（１）と炒めヘラ部（２）からなるフライ返し本体の炒めヘラ部（２）の底面に複数の突起物（３）を設ける。本実用新案は以上のような構成で、塊まっている炊飯米、添加食材をバラバラにして全体がよく混ざり合い、熱のとおりも味付けも均等になる。
【図面の簡単な説明】
【０００７】
【図１】本実用新案の立体図
【図２】本実用新案の炒め使用図
【図３】本実用新案の麺類使用図
【符号の説明】
【０００８】１柄部
２炒めヘラ部
３突起物
【図１】
0003136463.tif 000003
【図２】
0003136463.tif 000004
【図３】
0003136463.tif 000005
【手続補正書】
【提出日】平成19年7月30日(2007.7.30)
【手続補正１】
【補正対象書類名】実用新案登録請求の範囲
【補正対象項目名】全文
【補正方法】変更
【補正の内容】
【実用新案登録請求の範囲】
【請求項１】
フライ返しヘラ部の底面に複数の長柱状の突起物を設けたことを特徴とするフライ返し。
【請求項２】
前記ヘラ部の突起物の形状は柱体、錐体であることを特徴とする請求項１に記載のフライ返し。
【請求項３】
前記ヘラ部の突起物の長さは５ｍｍ以上であり、最小外径と同一または最小外径以上であることを特徴とする請求項１または２に記載のフライ返し。
【請求項４】
前記ヘラ部の突起物の間隔は、突起物の直径と同一または直径以上であることを特徴とする請求項１ないし３のいずれかの１項に記載のフライ返し。
【請求項５】
前記ヘラ部の突起物の長さは、柄部側から先まで同一または段々に短くすることを特徴とする請求項１ないし４のいずれかの１項に記載のフライ返し。
【手続補正２】
【補正対象書類名】明細書
【補正対象項目名】全文
【補正方法】変更
【補正の内容】
【考案の詳細な説明】
【技術分野】
【０００１】
本考案は、調理器具に関するものであり、炒め物の調理と麺類を簡単に掬い取ることに併用できる炒めヘラに関するものである。
【背景技術】
【０００２】
従来のフライ返しは柄部とヘラからなり、炒めるとき及び加熱するときにヘラの繰り返し使用が多い。
【考案の開示】
【考案が解決しようとする課題】
【０００３】
そのために、次のような問題点があった。
チャーハンをつくる際に炒飯米、食材等が塊まって調味料とよく混ざらなく、疲れるくらい鍋を振っても平均に加熱できず焦げたり半生になり、普通の人はプロのようにパラパラにつくれないという欠点がある。
【課題を解決するための手段】
【０００４】
本考案は、調理器具に関するものであり、特に、炒め物や麺類を、フライ返しのヘラ部の底面に設けた複数の突起物によって、バラバラ状態にし平均に加熱し、よくかき混ぜられるようにしたフライ返しに関するものである。
【考案の効果】
【０００５】
フライ返しのヘラ部の底面に複数の突起物のある炒めヘラを使うと、軽い力で簡単にかたまらずに混ぜたり、平均に加熱でき調味料も混ざりパラパラした美味しいチャーハンが出来る。またヘラ部の底面に設けた複数の突起物を上に向けて使用すると麺類を鍋から簡単に掬い上げることが出来るので、麺類専用の調理具を収納する場所を必要とせず経済的である。
【考案を実施するための最良の形態】
【０００６】
以下、本考案に係るフライ返しの形態について説明する。
本考案によれば、柄部（１）と炒めヘラ部（２）からなるフライ返し本体の炒めヘラ部（２）の底面に複数の突起物（３）を設ける。本考案は以上のような構成で、塊まっている炒飯米、添加食材をバラバラにすることができ、全体がよく混ざり合い、熱の通りも味付けも均等になる。
【図面の簡単な説明】
【０００７】
【図１】本考案に係るフライ返しの斜視立体図である。
【図２】本考案に係るフライ返しの使用図である。
【図３】本考案に係るフライ返しを麺類の掬い上げに使用する場合の状態図である。
【符号の説明】
【０００８】
１  柄部
２  炒めヘラ部
３  突起物
(57)【要約】      （修正有）【課題】個別、各人の用途や状況に合わせたメッセージを音楽に混入しサブリミナルメッセージとして再生したオーデイオを枕等の寝具に内蔵し、睡眠や安息の間に自己啓発、リラクセーション、安眠等の効能の器具として活用する。【解決手段】枕等の寝具本体の中に音楽とその音楽に混入したサブリミナルメッセージを記録する記憶装置とアンプの入った装置とスピーカーを本体内に内蔵し、音楽とそれに混入したサブリミナルメッセージを再生する。音楽は本体の横のセレクタスイッチによって音楽や各人の用途によって選ばれるメッセージを選択可能にする。以上の装置が再生する音楽とそれに混入したサブリミナルメッセージによって各人の目的に合わせた効能（自己啓発、自信、集中力、リラクセーション、安眠）を提供する。【選択図】図１
0003136458.tif 000002
【実用新案登録請求の範囲】
【請求項１】
枕等の寝具に音楽と音楽に混入したサブリミナルメッセージを記憶する記憶装置（ＲＡＭ  ＲＯＭ  ＳＤカード等）とオーデイオの再生装置（アンプスピーカー等）を内臓した寝具
【請求項２】
寝具に内臓した記憶装置と再生装置がサブリミナルメッセージ入り音楽や音源を再生しそのことによって各人の用途に合わせた効能（自己啓発、自信をつける、集中力をつける、リラクセーション、安眠等）を提供する。
【考案の詳細な説明】
【技術分野】
【０００１】  本考案は枕等の寝具図１内に音楽の記憶装置と再生装置図２の内臓に関するものである。
【背景技術】
【０００２】その音楽の再生装置に人間が通常では認識できないサブリミナルメッセージを混入した音楽をＲＡＭ  ＲＯＭ  ＳＤカード等に記憶させて再生する。本体図１には再生装置以外にスピーカーも内臓されている。
【考案の開示】
【考案が解決しようとする課題】
【０００３】枕等の寝具にただ寝るだけのものではなく、追加の機能を付加することによって各人の用途、要求に合った効能（自己啓発、自信をつける、集中力をつける、リラクセーション、安眠等）を提供する。
【課題を解決するための手段】
【０００４】音楽に通常の人間では認知できないメッセージを混入しその音源をＲＡＭ  ＲＯＭ  ＳＤカード等にの記憶装置２に記憶させ、その音源を寝具に内臓した記憶装置と再生装置（アンプ）とスピーカ３ーによって再生する。〈図１〉
【考案の効果】
【０００５】サブリミナルメッセージによって自己啓発、自信をつける、集中力をつける、リラクセーション、安眠等通常の寝具以外の効能が期待できる。
【考案を実施するための最良の形態】
【０００６】枕等の寝具図１に記憶装置と再生装置（アンプ）図２とスピーカーを内臓。音楽を再生しつつ通常の寝具として使用する。
【図面の簡単な説明】
【０００７】
【図１】枕等の寝具に記憶装置と再生装置とスピーカーを内臓した図
【図２】記憶装置と再生装置の電子回路のブロックダイアグラム
【符号の説明】
【０００８】１  寝具本体
２  記憶装置ならびに再生装置の電子回路基盤
３  スピーカー
【図１】
0003136458.tif 000003
【図２】
0003136458.tif 000004
【手続補正書】
【提出日】平成19年6月4日(2007.6.4)
【手続補正１】
【補正対象書類名】実用新案登録請求の範囲
【補正対象項目名】請求項１
【補正方法】変更
【補正の内容】
【請求項１】
枕等の寝具に音楽と音楽に混入したサブリミナルメッセージをデジタル信号で記憶する記憶装置を格納し、そこから抽出したオーデイオの再生装置を内臓した寝具
【手続補正２】
【補正対象書類名】実用新案登録請求の範囲
【補正対象項目名】請求項２
【補正方法】変更
【補正の内容】
【請求項２】
音楽に人間の耳には聞こえないサブリミナルメッセージを混入した音源を記憶する装置をデジタル信号で記憶する記憶装置
【手続補正３】
【補正対象書類名】明細書
【補正対象項目名】０００２
【補正方法】変更
【補正の内容】
【０００２】従来の音楽のみの再生に加えて人間が通常では認識できないサブリミナルメッセージを音楽に混入した音源をデジタル信号として記憶させて再生することによって個別の効能を提供する。本体図１にはその音源をデジタル信号として記憶する装置以外にアンプやスピーカーといった再生装置も内臓されている。
【手続補正４】
【補正対象書類名】明細書
【補正対象項目名】０００３
【補正方法】変更
【補正の内容】
【０００３】音楽を再生するのみの寝具はあったが、音楽の再生のみでは特定の効能や効果を期待できなかった。また従来の音の出ない寝具も安眠以外の各人が望む特定の効能を期待することはできなかった。
【手続補正５】
【補正対象書類名】明細書
【補正対象項目名】０００４
【補正方法】変更
【補正の内容】
【０００４】通常の人間の耳では認識できないサブリミナルメッセージを音楽に混入しそれをデジタル信号を記憶した装置を格納し再生することによって各人の個別の効能を提供する。
【手続補正６】
【補正対象書類名】明細書
【補正対象項目名】０００５
【補正方法】変更
【補正の内容】
【０００５】従来の枕のようにただ寝るためだけでなく、またただ音楽を聴かせるだけのものではなく、音楽にサブリミナルメッセージを混入し再生することによって各人の個別の効能を提供する。
(57)【要約】      （修正有）【課題】携帯灰皿利用者の趣味趣向のニーズに応えること及び、それにともなうマナーの向上をはかる。【解決手段】携帯灰皿に革、合成皮革、布など可能な限りのあらゆる材質、素材を使用したカバーを被せることとする。そのカバーは携帯灰皿に合わせ、どの素材でも同一の形状にする。カバーをした状態でも、携帯灰皿蓋の開閉ができるように形成する。【選択図】図１
0003136456.tif 000002
【実用新案登録請求の範囲】
【請求項１】
携帯灰皿を覆うカバー。
【考案の詳細な説明】
【技術分野】
【０００１】本考案は、携帯灰皿を覆うためのカバーに関する。
【背景技術】
【０００２】既に携帯灰皿は様々な形で普及している。特に例えば特許文献１に見られる形の携帯灰皿については、コンビニエンスストアー等で販売されているほか、路上配布、広告媒体としても使用されておりその認知度は高い。【０００３】その中で、商品名ソフト携帯灰皿（以下携帯灰皿）は柔軟且つ容易にポケットに入る大きさで、収納時にも中の灰が外に出ないように蓋が折り返る設計なっている。【０００４】しかしながらその柄や色彩の種類は豊富とは言えず、デザインも乏しい。
【特許文献１】登録実用新案第３１０１６３０号
【考案の開示】
【考案が解決しようとする課題】
【０００５】そのためデザイン面での選択の自由がなく利用者の趣味趣向の配慮に欠けている。【０００６】そこで携帯灰皿をそのまま使用でき且つ、利用者の趣味趣向の差別化をはかることが課題となる。
【課題を解決するための手段】
【０００７】本考案は携帯灰皿に革、合成皮革、布など可能な限りのあらゆる材質、素材を使用したカバーを被せることとする。【０００８】そのカバーは携帯灰皿に合わせ、どの素材でも同一の形状にする。【０００９】カバーをした状態でも、携帯灰皿蓋の開閉ができるように形成する。
【考案の効果】
【００１０】携帯灰皿にカバーを付けることで自分だけのデザインの物を持つ事ができるという、趣味趣向のニーズに応えられる。【００１１】多種類のデザイン、素材から選ぶことが可能になるため購買意欲の上昇が期待でき、携帯灰皿を持つ喫煙者の増加から喫煙マナーの向上に繋がる。
【考案を実施するための最良の形態】
【００１２】携帯灰皿の蓋の開閉が容易にできる材料、素材であること、例えば０００７に挙げた素材が望ましい。【００１３】本考案に基づく携帯灰皿カバーの実施形態を図２に示す。
図２は本考案による携帯灰皿カバーをソフト携帯灰皿に取り付けた状態の図である。カバー取り付け時、（１）のホック押さえ帯及び（２）の蓋押さえ帯で携帯灰皿蓋部を固定、（４）及び（５）で携帯灰皿袋部を固定する事で、ずれることなく携帯灰皿の開閉が可能となる。
また、携帯灰皿のホックが図２向かって左の位置にあるものでも対応可能であるように（１）ホック押さえ帯位置を形成する。
【図面の簡単な説明】
【図１】本考案携帯灰皿カバーの展開図
【図２】本考案携帯灰皿カバーを携帯灰皿に装着した状態の斜視図
【符号の説明】
１  ホック押さえ帯
２  蓋部押さえ帯
３  折り返し線
４  袋部押さえ帯
５  袋部の収納部
６  携帯灰皿
７  携帯灰皿アルミ部
８  携帯灰皿蓋部
９  携帯灰皿ホック
【図１】
0003136456.tif 000003
【図２】
0003136456.tif 000004
【手続補正書】
【提出日】平成19年4月27日(2007.4.27)
【手続補正１】
【補正対象書類名】実用新案登録請求の範囲
【補正対象項目名】全文
【補正方法】変更
【補正の内容】
【実用新案登録請求の範囲】
【請求項１】
市販の携帯灰皿に取り付けることができ、取り外すことなく携帯灰皿を開閉できるように形成されたカバー。
【手続補正書】
【提出日】平成19年6月28日(2007.6.28)
【手続補正１】
【補正対象書類名】実用新案登録請求の範囲
【補正対象項目名】全文
【補正方法】変更
【補正の内容】
【実用新案登録請求の範囲】
【請求項１】
市販の携帯灰皿が入るよう形成されたカバーにおいて、カバーに折り返し線を設けることで携帯灰皿の蓋の開閉を可能にし、また、カバーを袋状にすることで携帯灰皿の着脱を可能にした携帯灰皿カバー。
(57)【要約】      （修正有）【課題】食品関係の製造工場において、装着者が落とす毛髪などは、衛生上弊害が大きい為、装着者が頭部を完全に覆う毛髪防止落下止内ネットを提供する。【解決手段】食品関係や薬品等の製造工場において、装着者が落とす毛髪などは衛生上弊害が大きい為、装着者の毛髪落下を防ぐのに、帽体の開口部分の中心部に帯状になった布地を二又に分けて付ける。その両端にマジックテープを付ける。一方の帯状の布地は、頭の周りをきちっと止めて、上方部の毛髪の落下を防止する。もう一方の帯状の布地は、両耳の毛髪を押さえながら止める。頭部の上方の部分と両耳の両脇毛髪落下を防ぐ毛髪防止落下止内ネットである。【選択図】図３
0003136459.tif 000002
【実用新案登録請求の範囲】
【請求項１】
装着者の毛髪落下を防ぐ為、帽体の中心部に帯状になった布地を二又に分けて付け、その両端にマジックテープを付け、一方の帯状の布地は、頭の周りをきちっと止めて上部の毛髪の落下を防止し、もう一方の帯状の布地は、両耳の毛髪を押さえながら止め、頭部の上方の部分と両脇の毛髪落下を防ぐ衛生内ネット。
【考案の詳細な説明】
【技術分野】
【０００１】  本考案は、不織布からなる毛髪防止落下止内ネットである。
【背景技術】
【０００２】［特許文献１］従来のものは装着者の頭部後頭部を覆う衛生ネットである。（特許文献１及び２を参照）
【特許文献１】実用新案出願公開  昭５９−１２３１３２
【特許文献２】特開  ２００６−２４９６３１
【考案の開示】
【考案が解決しようとする課題】
【０００３】  しかしながら、装着者の毛髪防止は、頭部の上方部の部分だけでは、両耳の脇の部分の毛髪落下を防ぐことが困難である欠点があった。
【課題を解決する為の手段】
【０００４】  本考案は、不織布からなる衛生内ネットである。
帽体の中心部に帯状になった布地を二又に分けて両端にマジックテープで止めるという構成を具備することで頭部の上方部と両耳の脇の部の毛髪の落下を防ぐことを実現し、これにより上記課題を解決することである。
【考案の効果】
【０００５】  本考案に係る毛髪落下止内ネットは、帽体の中心部に帯状になった布地を二又に分けてマジックテープをして頭部の上方部と両耳の脇の部分の毛髪落下を防ぐことが出来る為、実用性に優れた衛生内ネットである。
【考案を実施する為の最良の形態】
【０００６】  図１に示すように、不織布からなる衛生内ネット１の額に当たる部分４を約１０センチメートル程縫付ける。
【０００７】  図２に示すように、帯状の布地２を二又に分けて、下方に分岐した帯状の布地３及び布地２の両端にマジックテープをつける。
【０００８】  上記工程により完成した本考案の毛髪防止落下止内ネットは、帯状の布地２及び３をそれぞれの両端をマジックテープで止めることにより、頭部の上方部と両耳の脇の部分の毛髪落下を防ぐことが出来る。
【産業上と利用可能性】
【０００９】帯状の布地を二又に分けて両端にマジックテープをすることにより、上方部の頭部と両耳の脇の毛髪防止を防ぐことが可能になる。きわめて簡単な構造の衛生内ネットを製造することが出来る。
【図面の簡単な説明】
【００１０】
【図１】  本考案に係る毛髪防止落下止内ネットの外観図である。
【図２】  本考案に係る毛髪防止落下止内ネットの側面図である。
【図３】  本考案に係る毛髪防止落下止内ネットの正面図である。
【符号の説明】
【００１１】  １    ネット
２    帯状の布地
３    帯状の布地
【図１】
0003136459.tif 000003
【図２】
0003136459.tif 000004
【図３】
0003136459.tif 000005
【手続補正書】
【提出日】平成19年6月19日(2007.6.19)
【手続補正１】
【補正対象書類名】実用新案登録請求の範囲
【補正対象項目名】全文
【補正方法】変更
【補正の内容】
【実用新案登録請求の範囲】
【請求項１】
装着者の毛髪落下を防ぐ為、帽体の中心部に帯状になった布地を二又に分けて付け、その両端にマジックテープ（登録商標）を付け、一方の帯状の布地は、頭の周りをきちっと止めて上部の毛髪の落下を防止し、もう一方の帯状の布地は、両耳の毛髪を押さえながら止め、頭部の上方の部分と両脇の毛髪落下を防ぐ衛生内ネット。
【手続補正２】
【補正対象書類名】明細書
【補正対象項目名】全文
【補正方法】変更
【補正の内容】
【考案の詳細な説明】
【技術分野】
【０００１】  本考案は、不織布からなる毛髪防止落下止内ネットである。
【背景技術】
【０００２】［特許文献１］従来のものは装着者の頭部後頭部を覆う衛生ネットである。（特許文献１及び２を参照）
【特許文献１】実用新案出願公開  昭５９−１２３１３２
【特許文献２】特開  ２００６−２４９６３１
【考案の開示】
【考案が解決しようとする課題】
【０００３】  しかしながら、装着者の毛髪防止は、頭部の上方部の部分だけでは、両耳の脇の部分の毛髪落下を防ぐことが困難である欠点があった。
【課題を解決する為の手段】
【０００４】  本考案は、不織布からなる衛生内ネットである。
帽体の中心部に帯状になった布地を二又に分けて両端にマジックテープ（登録商標）で止めるという構成を具備することで頭部の上方部と両耳の脇の部の毛髪の落下を防ぐことを実現し、これにより上記課題を解決することである。
【考案の効果】
【０００５】  本考案に係る毛髪落下止内ネットは、帽体の中心部に帯状になった布地を二又に分けてマジックテープ（登録商標）をして頭部の上方部と両耳の脇の部分の毛髪落下を防ぐことが出来る為、実用性に優れた衛生内ネットである。
【考案を実施する為の最良の形態】
【０００６】  図１に示すように、不織布からなる衛生内ネット１の額に当たる部分４を約１０センチメートル程縫付ける。
【０００７】  図２に示すように、帯状の布地２を二又に分けて、下方に分岐した帯状の布地３及び布地２の両端にマジックテープ（登録商標）をつける。
【０００８】  上記工程により完成した本考案の毛髪防止落下止内ネットは、帯状の布地２及び３をそれぞれの両端をマジックテープ（登録商標）で止めることにより、頭部の上方部と両耳の脇の部分の毛髪落下を防ぐことが出来る。
【産業上と利用可能性】
【０００９】帯状の布地を二又に分けて両端にマジックテープ（登録商標）をすることにより、上方部の頭部と両耳の脇の毛髪防止を防ぐことが可能になる。きわめて簡単な構造の衛生内ネットを製造することが出来る。
【図面の簡単な説明】
【００１０】
【図１】  本考案に係る毛髪防止落下止内ネットの外観図である。
【図２】  本考案に係る毛髪防止落下止内ネットの側面図である。
【図３】  本考案に係る毛髪防止落下止内ネットの正面図である。
【符号の説明】
【００１１】        １    ネット
２    帯状の布地
３    帯状の布地